(57)【要約】    【課題】離散的に配置される複数のパッシブＩＣタグの動作状態を判定し、保守管理を行う装置を提供する。    【解決手段】タグ読取装置によりタグの読み取りに成功すると、中継装置に向けて読み取りに成功したタグのＩＤを発信し、保守管理センターにおいて統計処理を行い動作状態を判定することで経済的な保守管理サービスが提供できる。また、複数のＩＣタグを一組のタグとして配置し、動作状態をタグ読取装置あるいは保守管理センターにおいて判定する。  【選択図】図２
2006293728.tif 000002
【特許請求の範囲】
【請求項１】
個別のＩＤを有するタグと当該ＩＤを読み取るための読取手段と当該読取手段が読み取ったＩＤを無線信号に変換して発信するための発信手段と当該発信された無線信号を受信し当該個別のタグのＩＤを保守管理センタあるいはコンピュータセンタに転送するためのネットワークから構成され当該保守センタあるいはコンピュータセンタによって当該読取手段から発信された個別のタグのＩＤを統計処理し当該個別のタグの動作状態を診断することを特徴とするタグ保守管理装置
【請求項２】
当該ネットワークが通信回線に接続された基地局あるいはバケツリレーによりデータを転送する複数の中継手段によって構成され当該読取手段によって読み取られた個別のタグのＩＤを当該保守管理センタあるいはコンピュータセンタに転送することを特徴とする請求項第１項に記載のタグ保守管理装置
【請求項３】
当該保守管理センタあるいはコンピュータセンタに転送された当該個別のタグのＩＤを時系列的に記憶し設定された期間内について統計処理を行い当該個別のタグの動作状態を診断することを特徴とする請求項第１項から第２項までに記載のタグ保守管理装置
【請求項４】
当該バケツリレーによりデータを転送する複数の中継手段の内当該発信された無線信号を最初に受信した基地局あるいは中継手段が独自のＩＤを附加して転送することによって当該中継手段の動作状態を合わせて診断することを特徴とする請求項第１項から第３項までに記載のタグ保守管理装置
【請求項５】
当該タグが複数のＩＣチップから構成されそれぞれに個別のＩＤあるいは一部が共通のＩＤあるいは現用と予備を表すＩＤあるいは情報提供用と診断用を表すＩＤを含むいずれかを割当て当該読取手段が読み取ったＩＤの組に不足分がないか調べることにより動作状態を診断することを特徴とする請求項第１項から第４項までに記載のタグ保守管理装置
【請求項６】
当該データ回線に接続された基地局あるいはバケツリレーによりデータを転送する複数の中継手段が無線信号の１波長以下の間隔で複数のアンテナを設けて周期的に切替えながら当該基地局あるいは中継手段に個別に割当てられたＩＤを用いて場所を検知しあるいは位置を検知しあるいは方向を検知するための無線信号を間欠発信するアクテイブタグ装置として機能し当該間欠発信の休止期間中に当該読取手段が個別のタグのＩＤを読取った際に発信する無線信号を受信することを特徴とする請求項第１項から第５項までに記載のタグ保守管理装置
【発明の詳細な説明】
【技術分野】
【０００１】
この発明は、近年普及が始まっている離散的に配置され半永久的に設置される複数のＲＦタグの動作状態を試験し経済的に保守管理するための装置に関するものである。
【背景技術】
【０００２】
特許文献１に記載されている従来の「通過管理システム、安全管理システム、および通過管理方法」では、作業員が作業場に持ち込む装備、備品に非接触ＩＤタグを取り付け、当該ＩＤタグを用いて人の安全管理を行なうためのものである。
【０００３】
また、特許文献２に記載されている従来の「固定資産情報の集中管理システム」では、管理する固定資産に無線タグを取り付け当該固定資産の集中管理を行なうためのものである。
【０００４】
また、特許文献３に記載されている従来の「保守点検システム及び保守点検方法」では、保守点検作業ルートにＩＣタグを備える保守点検システムである。
【０００５】
また、特許文献４に記載されている従来の「保守点検方法」では、保守点検する機器にＩＣチップを装着し、当該機器の保守点検に必要な情報を記憶させるものである。
【０００６】
また、特許文献５に記載されている従来の「アクテイブタグ装置」では、アクテイブタグから発信される無線信号を用いて場所あるいは方向の検知を行なうものであり、タグ読取装置からの無線信号を転送してタグの保守管理を行なう機能を有していない。
【０００７】
上記のように、従来のシステムあるいは方法では、対象とするものの保守点検を行なうためにタグを用いるものであり、あるいはタグを利用して場所の検知を行なうものであり、タグそのものの保守管理を行なうものはなかった。
【特許文献１】特開２００５−７８２２２号
【特許文献２】特開２００５−７８１６９号
【特許文献３】特開２００４−１０８７８２号
【特許文献４】特開２００２−２５９５９５号
【特許文献５】特願２００５−０６９４１７号
【発明の開示】
【発明が解決しようとする課題】
【０００８】
本発明は、近年タグの活用範囲が拡大しタグを半永久的に固定して設置する場合が生じており複数のタグが離散的に配置されたときに動作状態を確認し経済的に保守管理する装置を提供する。
【課題を解決するための手段】
【０００９】
この発明に係わるタグ保守管理装置は、複数のタグが離散的に広い範囲に配置されたときにタグそのものの動作状態を経済的な方法で確認する役割を果たす。
【発明の効果】
【００１０】
従来の方法ではタグそのものでなくタグを装着したものの保守管理に関するものであったが、本発明の方法によれば、離散的に広い範囲にばら撒かれたタグそのものを経済的な方法で動作状況が確認できるメリットがある。
【発明を実施するための最良の形態】
【００１１】
この発明に係わるタグ保守管理装置は、図１に示すように、タグ読取装置３によりタグ１のＩＤの読取に成功した場合には当該タグ読取装置３から電波を発信し基地局５およびネットワーク７を経由して保守管理センター８に読取成功を報告し、当該保守管理センタ８において統計処理を行い個別のタグ１の動作状態を判定する。
【００１２】
図２では、タグ読取装置３からの報告をバケツリレーによるデータの中継装置１１ａ、１１ｂにより転送し保守管理センタ８により統計処理を行なう。更に、当該中継装置が無線信号の１波長以下の間隔で設けられた複数のアンテナを周期的に切替えながら当該複数の中継手段に個別に割当てられたＩＤを用いて場所を検知しあるいは位置を検知しあるいは方向を検知するための無線信号を間欠発信するアクテイブタグ装置として機能し、当該間欠発信の休止期間中に当該読取手段が個別のタグのＩＤを読取った際に発信する無線信号を受信することで、当該中継手段を効率的に活用できる。
【００１３】
図３では、タグ読取装置３において、タグのＩＤの読取に成功した場合に発信し、保守管理センタにおいて統計処理を行なう。
【実施例１】
【００１４】
図１は、本発明のタグ保守管理装置の構成を示す図である。図１において、１はタグ、２はタグ１に封じ込められたＩＣチップ、３は読取手段、４は読取手段３のアンテナ、５は基地局、６は基地局５のアンテナ、７はデータ回線、８は保守管理センタである。
【００１５】
タグ読取装置３をタグ１に近づけたＩＣチップ２に記憶されたＩＤの読み取りを試みる。当該ＩＤの読取に成功すると、タグ読取装置３のアンテナ４から無線信号に当該タグ１のＩＤを発信する。
アンテナ６により当該無線信号を受信した基地局５は、データネットワーク７を介して保守管理センタ８に当該情報を転送し、当該保守管理センタ８において当該情報を記憶し設定期間内の統計処理を行い、読取成功の報告を受けていないタグを選び出し読取報告無しあるいは故障中の診断を行い、途中から報告回数が無くなったものは故障発生の診断を行い、報告を継続して受けているものについては正常の診断を行い画面に表示を行なう。
タグの現地修理は途中で報告が途絶えたものから優先して行い、報告が皆無のものは順次読取試験を実施するものとする。
【００１６】
ここで、当該タグ読取装置３により読取に成功しなかった場合に報告を送らないのは、タグ１を読み取る意思の有無を判定ししかも何れのタグを読み取ろうとしたのかを知るのが難しいためである。
また、上記の説明ではタグが受動的なものであるが、タグから信号を発信する場合についても同様に活用することができる。
また、当該タグに複数のＩＣチップを封入しそれぞれに個別のＩＤあるいは共通のＩＤのいずれかを割当て、当該読取手段で読み取る際、ＩＤの組の全てを読み取ったかあるいは一部のみ読み取ったかを含めて発信することで、現用・予備として当該タグの信頼度を高めることができる。
また、当該基地局が無線信号の１波長以下の間隔で設けられた複数のアンテナを周期的に切替えながら当該基地局に個別に割当てられたＩＤを用いて場所を検知しあるいは位置を検知しあるいは方向を検知するための無線信号を間欠発信するアクテイブタグ装置として機能し、当該間欠発信の休止期間中に当該読取手段が個別のタグのＩＤを読取った際に発信する無線信号を受信することで、当該基地局を効率的に活用することができる。
【実施例２】
【００１７】
図２は、本発明のタグ保守管理装置の他の構成を示す図である。図２において、１はタグ、２はタグ１に封じ込められたＩＣチップ、３は読取手段、４は読取手段３のアンテナ、１１ａ〜１１ｂは中継装置、１２ａ〜１２ｂはアンテナ、８は保守管理センタである。
【００１８】
タグ読取装置３をタグ１に近づけたＩＣチップ２に記憶されたＩＤの読み取りを試みる。当該ＩＤの読取に成功すると、タグ読取装置３のアンテナ４から無線信号に当該タグ１のＩＤを発信する。
アンテナ１２ａにより当該無線信号を受信した中継装置１１ａは、バケツリレーによって当該情報をアンテナ１２ｂを経由して中継装置１１ｂに転送し、中継装置１１ｂから保守管理センタ８に当該情報を伝送し、当該保守管理センタ８に当該情報を記憶し周期的に統計処理を行い、読取成功の方向を受けていないタグを選び出し、報告を受けていない時間が長いものから順にリストアップして画面に表示を行なう。
タグの現地修理は途中で報告だ途絶えたものから優先して行い、報告が皆無のものは順次読取試験を実施するものとする。
【００１９】
ここで、当該タグ読取装置３により読取に成功しなかった場合に報告を送らないのは、タグ１を読み取る意思の有無を判定ししかも何れのタグを読み取ろうとしたのかを知るのが難しいためである。
また、上記の説明ではタグが受動的なものであるが、タグから信号を発信する場合についても同様に活用することができる。
また、当該タグに複数のＩＣチップを封入しそれぞれに個別のＩＤあるいは共通のＩＤのいずれかを割当て、当該読取手段で読み取る際、全てのＩＤを読み取ったかあるいは一部のＩＤのみ読み取ったかを含めて発信することで、現用・予備として当該タグの信頼度を高めることができる。
また、当該中継装置が無線信号の１波長以下の間隔で設けられた複数のアンテナを周期的に切替えながら当該複数の中継手段に個別に割当てられたＩＤを用いて場所を検知しあるいは位置を検知しあるいは方向を検知するための無線信号を間欠発信するアクテイブタグ装置として機能し、当該間欠発信の休止期間中に当該読取手段が個別のタグのＩＤを読取った際に発信する無線信号を受信することで、当該中継手段を効率的に活用することができる。
【実施例３】
【００２０】
図３は、本発明のタグ保守管理装置の制御プログラムの構成を示す図である。図３において、１０１はタグ読取スタート、１０２は読取成功かの判定、１０３は動作良報告発信、１０４はＥＮＤ、２０１は動作良報告受信、２０２はデータ記憶およびデータの統計処理、２０３は動作状態の判定、２０４はアラーム表示、２０５はＥＮＤである。
【００２１】
当該タグ読取装置において、制御プログラムがタグ読取スタート１０１を起動するとタグの読取を試み、読取成功判定１０２により成功と判定するとタイムスタンプを附加して読取良報告発信１０３を発信してＥＮＤ１０４へあるいは読取に失敗する直接ＥＮＤ１０４に移行して制御プログラムを終了する。ここで、読取良報告発信１０３は、当該タグに複数のＩＣチップが組込まれている場合には、全数が読み取り可能かそれとも一部であったかを合わせて発信することで、当該タグの信頼性を高めることができる。
保守管理センタにおいて動作良報告２０１を受信すると当該データの記憶とデータの処理２０２を行い、例えば、一定期間の間に報告を受けた回数をチェックし回数が少ないものから並び替えるなどの動作判定２０３を行い、回数の特に少ないものはアラーム表示２０４にリストアップしＥＮＤ２０５に移行する。
【００２２】
ここで、上記の動作判定２０３の統計処理は一例を示すものであり、他の等価な方法によっても同様な効果が得られる。
また、当該バケツリレーによりデータを転送する中継手段を当該中継手段に割当てられた個別のＩＤを用いて場所あるいは位置検知のための超音波信号あるいは高周波信号あるいは光信号を発信する無線マーカとして機能させることができる。
【００２３】
以上の説明では、データの伝送に有線データネットワークあるいはバケツリレーによるデータ伝送を用いる場合について説明したが、携帯電話ネットワーク、無線ＬＡＮ、あるいは光網あるいはインターネット網などを利用しても同様な効果が得られる。
また、当該基地局あるいは中継手段から超音波トランスデューサーあるいは超音波送波器を用いて超音波信号を発信し、あるいは発光ダイオードあるいはレーザーダイオードを用いて光信号を発信しても同様な効果が得られる。なお、本出願では、超音波トランスデューサーあるいは超音波送受波器と発光ダイオードあるいはレーザーダイオードあるいはホトダイオードを総称してアンテナと呼称するものとする。
【産業上の利用可能性】
【００２４】
本発明のタグ保守管理装置では、タグを複数の離散的な個所に半永久的に設置する場合に、当該複数のタグを経済的な方法で保守管理することが可能となる。
【図面の簡単な説明】
【００２５】
【図１】本発明のタグ保守管理装置の構成を示す図である。
【図２】本発明のタグ保守管理装置の他の構成を示す図である。
【図３】本発明のタグ保守管理装置の制御プログラムの構成を示す図である。
【符号の説明】
【００２６】
１                                          タグ
２                                          ＩＣチップ
３                                          タグ読取装置
４                                          タグ読取装置３のアンテナ
５                                          基地局
６                                          基地局５のアンテナ
７                                          データネットワーク
８                                          保守管理センタ
１１ａ、１１ｂ                              中継装置
１２ａ、１２ｂ                              中継装置１１ａ、１１ｂのアンテナ
１０１                                      タグ読取スタート
１０２                                      読取成功判定
１０３                                      動作良報告発信
１０４                                      ＥＮＤ
２０１                                      動作良報告発信
２０２                                      データ記憶およびデータ処理
２０３                                      動作判定
２０４                                      アラーム表示
２０５                                      ＥＮＤ
【図１】
2006293728.tif 000003
【図２】
2006293728.tif 000004
【図３】
2006293728.tif 000005